(57)【要約】【課題】振動エネルギーの吸収能力の高いエネルギー吸収装置、および振動エネルギーの吸収能力の高いエネルギー吸収装置を、複雑な工程を必要とせず、効率よく製造することが可能なエネルギー吸収装置の製造方法を提供する。【解決手段】複数のブロック３ａ，３ｂを、進退ロッド２に対して所定の位置に配設することにより、振動吸収体３を形成する。  また、周囲に振動吸収体３を構成するブロック３ａ，３ｂが配設された進退ロッド２をシリンダ１内に収容配置し、振動吸収体３を加圧することにより、ブロック３ａとブロック３ｂ、進退ロッド２と振動吸収体３、およびシリンダ１と振動吸収体３の間の隙間を除去して、各部材の境界部を密着させ、十分なエネルギー吸収性能を備えた振動吸収体３を形成する。【選択図】図１
2005233352.tif 000002
【特許請求の範囲】
【請求項１】
筒状のシリンダ内に進退ロッドを同心状かつ軸方向に相対移動可能に設け、前記シリンダ内の進退ロッドの周囲に、塑性変形可能な金属よりなる振動吸収体を収容配置するとともに、前記進退ロッドの外周面に抵抗突起を設け、抵抗突起が振動発生時に振動吸収体内を相対移動することにより振動吸収体が塑性変形して振動エネルギーを吸収するように構成されたエネルギー吸収装置の製造方法において、
組み合わせることにより前記振動吸収体が形成される複数のブロックを用意する工程と、
前記各ブロックを前記進退ロッドに対して所定の位置に配設することにより、前記振動吸収体を形成する工程と
を具備することを特徴とするエネルギー吸収装置の製造方法。
【請求項２】
前記複数のブロックを所定の位置に配設することにより周囲に前記振動吸収体が配設された前記進退ロッドの主要部を前記シリンダ内に収容配置し、前記振動吸収体を加圧することにより、前記ブロックとブロック、前記進退ロッドと前記振動吸収体、および前記シリンダと前記振動吸収体の境界部の隙間を除去することを特徴とする請求項１記載のエネルギー吸収装置の製造方法。
【請求項３】
前記複数のブロックを所定の位置に配設することにより前記進退ロッドの周囲に前記振動吸収体を配設する工程においては、前記ブロックとブロック、前記進退ロッドと前記振動吸収体、および前記シリンダと前記振動吸収体の境界部に隙間が形成されることを許容するとともに、
周囲に前記振動吸収体が配設された前記進退ロッドを前記シリンダに収容配置する工程が終了した後に、前記振動吸収体を前記シリンダの解放端部から軸方向に所定の圧力で加圧することにより、前記ブロックとブロック、前記進退ロッドと前記振動吸収体、および前記シリンダと前記振動吸収体の境界部の隙間を除去して各部材を密着させること
を特徴とする請求項１または２記載のエネルギー吸収装置の製造方法。
【請求項４】
組み合わせることにより前記振動吸収体が形成される複数のブロックのうち所定のブロックを前記進退ロッドに対して所定の位置に配設した状態で加圧し、さらに、残りの所定のブロックのうち所定のブロックを前記進退ロッドに対して所定の位置に配設した状態で加圧することにより、ブロックの加圧を複数回に分けて行うことを特徴とする請求項２または３記載のエネルギー吸収装置の製造方法。
【請求項５】
前記ブロックの加圧を複数回に分けて行う場合において、複数の加圧工程のうちの少なくとも１つの加圧工程においては加圧圧力を他の加圧工程における加圧圧力とは異ならせることを特徴とする請求項４記載のエネルギー吸収装置の製造方法。
【請求項６】
前記シリンダに密封治具を配設することにより、前記振動吸収体が加圧され、前記ブロックとブロック、前記進退ロッドと前記振動吸収体、および前記シリンダと前記振動吸収体の境界部が隙間なく密着した状態を維持するようにしたことを特徴とする請求項３〜５のいずれかに記載の記載のエネルギー吸収装置の製造方法。
【請求項７】
周囲に前記振動吸収体が配設された前記進退ロッドを前記シリンダに収容配置し、前記密封治具を介して加圧を行った後、加圧状態が維持された状態のまま前記密封治具を前記シリンダに固定することにより、前記振動吸収体の加圧と前記シリンダの密封を一連の工程で同時に行うことを特徴とする請求項３〜６のいずれかに記載のエネルギー吸収装置の製造方法。
【請求項８】
前記シリンダの内面、前記進退ロッド、および前記ブロックの表面の少なくとも１つに、滑り性を向上させるための滑り性改善剤の付与または滑り性改善物質のコーティングを施しておくことを特徴とする請求項１〜７のいずれかに記載のエネルギー吸収装置の製造方法。
【請求項９】
筒状のシリンダ内に進退ロッドを同心状かつ軸方向に相対移動可能に設け、そのシリンダ内の進退ロッドの周囲に、塑性変形可能な金属よりなる振動吸収体を収容配置するとともに、前記進退ロッドの外周面に抵抗突起を設け、抵抗突起が振動発生時に振動吸収体内を相対移動することにより振動吸収体が塑性変形して振動エネルギーを吸収するように構成されたエネルギー吸収装置であって、
前記振動吸収体が複数のブロックから形成されていること
を特徴とするエネルギー吸収装置。
【請求項１０】
前記振動吸収体が加圧され、前記ブロックとブロック、前記進退ロッドと前記振動吸収体、および前記シリンダと前記振動吸収体の境界部が隙間なく密着していることを特徴とする請求項９記載のエネルギー吸収装置。
【請求項１１】
前記シリンダに密封治具を配設することにより、前記振動吸収体が加圧され、前記ブロックとブロック、前記進退ロッドと前記振動吸収体、および前記シリンダと前記振動吸収体の境界部が隙間なく密着した状態が保持されていることを特徴とする請求項９または１０記載のエネルギー吸収装置。
【請求項１２】
前記シリンダの内面、前記進退ロッド、および前記ブロックの表面の少なくとも１つに、滑り性を向上させるための滑り性改善剤の付与または滑り性改善物質のコーティングが施されていることを特徴とする請求項９〜１１のいずれかに記載のエネルギー吸収装置。
【発明の詳細な説明】
【技術分野】
【０００１】
本願発明は、地震などの震動エネルギーを吸収するためのエネルギー吸収装置およびその製造方法に関する。
【背景技術】
【０００２】
地震などの振動エネルギーを吸収するためのエネルギー吸収装置としては、従来より、筒状のシリンダ内に進退ロッドを同心状に且つ軸方向に相対移動可能に設け、そのシリンダ内の進退ロッドの周囲に、鉛などの金属からなる振動吸収体を収容配置するとともに、上記進退ロッドの外周面に抵抗突起を設けた構成を有し、上記抵抗突起が振動発生時に上記振動吸収体内を相対移動することによって該振動吸収体が流動的に塑性変形することにより振動エネルギーが吸収されるように構成されたエネルギー吸収装置が知られている（例えば、特許文献１）。
【０００３】
しかしながら、上記のようなエネルギー吸収装置においては、鉛などの金属からなる振動吸収体を製造する場合に、振動吸収体と進退ロッドあるいはシリンダとの境界部に隙間が存在すると、地震時などにおける振動エネルギーの吸収能力が低下するという問題点がある。
【０００４】
このような隙間を除去する方法としては、鉛などの金属を直接シリンダ内へ、鋳造などの手法によって注入する方法が考えられるが、この方法の場合、鋳造欠陥、凝固収縮などによって新たに隙間が発生する要因を生み出すおそれがある。
【０００５】
さらに、この方法の場合、個々のエネルギー吸収装置毎に鉛などの金属を注入する作業を正確に行う必要があり、生産性の低下やコストの上昇を招くという問題点がある。
【０００６】
そこで、このような問題点を解消するために、シリンダ内に設けられた、円筒部に対する進退ロッドの軸方向相対移動に抗する抵抗力を鉛との関係で進退ロッドに発生させる抵抗力発生部を備え、かつ、シリンダに、進退ロッドの周囲の環状空間と外部とを連通する少なくとも一つの貫通孔を設けるとともに、この貫通孔に、環状空間の鉛の圧縮応力を調整するための調圧栓を設け、鉛をさらにシリンダ内に圧入して隙間を埋めることにより、能力低下を防ぐようにした振動エネルギー吸収装置が提案されている（例えば、特許文献２）。
【０００７】
しかしながら、この振動エネルギー吸収装置においても、構造が複雑になること、回転治具などによる煩雑な調整作業や高精度の管理が必要となること、鉛などの金属の注入作業が必要となることなどの理由から、製造コストや管理コストの増大を招くという問題点がある。
【特許文献１】特開平１０−１９６１５７号公報
【特許文献２】特開２０００−２２０６９１号公報
【発明の開示】
【発明が解決しようとする課題】
【０００８】
本願発明は、上記問題点を解決するためになされたものであり、低コストで、振動エネルギーの吸収能力の高いエネルギー吸収装置、および振動エネルギーの吸収能力の高いエネルギー吸収装置を、複雑な工程を必要とせず、効率よく製造することが可能なエネルギー吸収装置の製造方法を提供することを課題とする。
【課題を解決するための手段】
【０００９】
上記課題を解決するために、本願発明（請求項１）のエネルギー吸収装置の製造方法は、
筒状のシリンダ内に進退ロッドを同心状かつ軸方向に相対移動可能に設け、前記シリンダ内の進退ロッドの周囲に、塑性変形可能な金属よりなる振動吸収体を収容配置するとともに、前記進退ロッドの外周面に抵抗突起を設け、抵抗突起が振動発生時に振動吸収体内を相対移動することにより振動吸収体が塑性変形して振動エネルギーを吸収するように構成されたエネルギー吸収装置の製造方法において、
組み合わせることにより前記振動吸収体が形成される複数のブロックを用意する工程と、
前記各ブロックを前記進退ロッドに対して所定の位置に配設することにより、前記振動吸収体を形成する工程と
を具備することを特徴としている。
【００１０】
また、請求項２のエネルギー吸収装置の製造方法は、前記複数のブロックを所定の位置に配設することにより周囲に前記振動吸収体が配設された前記進退ロッドの主要部を前記シリンダ内に収容配置し、前記振動吸収体を加圧することにより、前記ブロックとブロック、前記進退ロッドと前記振動吸収体、および前記シリンダと前記振動吸収体の境界部の隙間を除去することを特徴としている。
【００１１】
また、請求項３のエネルギー吸収装置の製造方法は、
前記複数のブロックを所定の位置に配設することにより前記進退ロッドの周囲に前記振動吸収体を配設する工程においては、前記ブロックとブロック、前記進退ロッドと前記振動吸収体、および前記シリンダと前記振動吸収体の境界部に隙間が形成されることを許容するとともに、
周囲に前記振動吸収体が配設された前記進退ロッドを前記シリンダに収容配置する工程が終了した後に、前記振動吸収体を前記シリンダの解放端部から軸方向に所定の圧力で加圧することにより、前記ブロックとブロック、前記進退ロッドと前記振動吸収体、および前記シリンダと前記振動吸収体の境界部の隙間を除去して各部材を密着させること
を特徴としている。
【００１２】
また、請求項４のエネルギー吸収装置の製造方法は、組み合わせることにより前記振動吸収体が形成される複数のブロックのうち所定のブロックを前記進退ロッドに対して所定の位置に配設した状態で加圧し、さらに、残りの所定のブロックのうち所定のブロックを前記進退ロッドに対して所定の位置に配設した状態で加圧することにより、ブロックの加圧を複数回に分けて行うことを特徴としている。
【００１３】
また、請求項５のエネルギー吸収装置の製造方法は、前記ブロックの加圧を複数回に分けて行う場合において、複数の加圧工程のうちの少なくとも１つの加圧工程においては加圧圧力を他の加圧工程における加圧圧力とは異ならせることを特徴としている。
【００１４】
また、請求項６のエネルギー吸収装置の製造方法は、前記シリンダに密封治具を配設することにより、前記振動吸収体が加圧され、前記ブロックとブロック、前記進退ロッドと前記振動吸収体、および前記シリンダと前記振動吸収体の境界部が隙間なく密着した状態を維持するようにしたことを特徴としている。
【００１５】
また、請求項７のエネルギー吸収装置の製造方法は、周囲に前記振動吸収体が配設された前記進退ロッドを前記シリンダに収容配置し、前記密封治具を介して加圧を行った後、加圧状態が維持された状態のまま前記密封治具を前記シリンダに固定することにより、前記振動吸収体の加圧と前記シリンダの密封を一連の工程で同時に行うことを特徴としている。
【００１６】
また、請求項８のエネルギー吸収装置の製造方法は、前記シリンダの内面、前記進退ロッド、および前記ブロックの表面の少なくとも１つに、滑り性を向上させるための滑り性改善剤の付与または滑り性改善物質のコーティングを施しておくことを特徴としている。
【００１７】
また、本願発明（請求項９）のエネルギー吸収装置は、
筒状のシリンダ内に進退ロッドを同心状かつ軸方向に相対移動可能に設け、そのシリンダ内の進退ロッドの周囲に、塑性変形可能な金属よりなる振動吸収体を収容配置するとともに、前記進退ロッドの外周面に抵抗突起を設け、抵抗突起が振動発生時に振動吸収体内を相対移動することにより振動吸収体が塑性変形して振動エネルギーを吸収するように構成されたエネルギー吸収装置であって、
前記振動吸収体が複数のブロックから形成されていること
を特徴としている。
【００１８】
また、請求項１０のエネルギー吸収装置は、前記振動吸収体が加圧され、前記ブロックとブロック、前記進退ロッドと前記振動吸収体、および前記シリンダと前記振動吸収体の境界部が隙間なく密着していることを特徴としている。
【００１９】
また、請求項１１のエネルギー吸収装置は、前記シリンダに密封治具を配設することにより、前記振動吸収体が加圧され、前記ブロックとブロック、前記進退ロッドと前記振動吸収体、および前記シリンダと前記振動吸収体の境界部が隙間なく密着した状態が保持されていることを特徴としている。
【００２０】
また、請求項１２のエネルギー吸収装置は、前記シリンダの内面、前記進退ロッド、および前記ブロックの表面の少なくとも１つに、滑り性を向上させるための滑り性改善剤の付与または滑り性改善物質のコーティングが施されていることを特徴としている。
【発明の効果】
【００２１】
本願発明（請求項１）のエネルギー吸収装置の製造方法は、筒状のシリンダ内に進退ロッドを同心状かつ軸方向に相対移動可能に設け、シリンダ内の進退ロッドの周囲に、塑性変形可能な金属よりなる振動吸収体を収容配置するとともに、進退ロッドの外周面に抵抗突起を設け、抵抗突起が振動発生時に振動吸収体内を相対移動することにより振動吸収体が塑性変形して振動エネルギーを吸収するように構成されたエネルギー吸収装置を製造するにあたって、複数のブロックを組み合わせて振動吸収体を形成するようにしているので、複数のブロックを進退ロッドに対して所定の位置に配設することにより、容易に振動吸収体を形成することが可能になり、複雑な製造工程を必要とすることなく、エネルギー吸収装置を効率よく製造することが可能になる。
【００２２】
また、請求項２のエネルギー吸収装置の製造方法のように、複数のブロックを所定の位置に配設することにより周囲に振動吸収体が配設された進退ロッドの主要部をシリンダ内に収容配置し、振動吸収体を加圧することにより、ブロックとブロック、進退ロッドと振動吸収体、およびシリンダと振動吸収体の境界部の隙間を容易かつ確実に除去することが可能になり、十分なエネルギー吸収性能を備えた振動吸収体を形成して、信頼性の高いエネルギー吸収装置を効率よく製造することが可能になる。
なお、振動吸収体を所定の圧力で加圧するにあたっては、振動吸収体を直接的に加圧用の治具で加圧することも可能であり、また、剛性の大きい材料からなる他の１以上の部材を介して間接的に加圧することも可能である。
また、振動吸収体の主要部を構成するブロックを周囲に配設した進退ロッドをシリンダ内に収容配置し、加圧して各部材の境界部を密着させた後、さらに振動吸収体を構成する他のブロックを挿入して加圧するように構成することも可能である。
【００２３】
また、請求項３のエネルギー吸収装置の製造方法のように、複数のブロックを所定の位置に配設することにより周囲に振動吸収体が配設された進退ロッドのシリンダへの収容配置を行う工程においては、ブロックとブロック、進退ロッドと振動吸収体、およびシリンダと振動吸収体の境界部に隙間が形成されることを許容するとともに、周囲に振動吸収体が配設された進退ロッドをシリンダに収容配置する工程が終了した後に、振動吸収体をシリンダの解放端部から軸方向に所定の圧力で加圧することにより、ブロックとブロック、進退ロッドと振動吸収体、およびシリンダと振動吸収体の境界部の隙間を除去して各部材を確実に密着させることが可能になり、複雑な製造工程を必要とすることなく、信頼性の高いエネルギー吸収装置を効率よく製造することが可能になる。
なお、請求項３のエネルギー吸収装置の製造方法の場合にも、振動吸収体をシリンダの解放端部から軸方向に所定の圧力で加圧するにあたっては、振動吸収体を直接的に加圧用の治具で加圧することも可能であり、また、剛性の大きい材料からなる他の１以上の部材を介して間接的に加圧することも可能である。
【００２４】
また、請求項４のエネルギー吸収装置の製造方法のように、組み合わせることにより振動吸収体が形成される複数のブロックのうち所定のブロックを進退ロッドに対して所定の位置に配設した状態で加圧し、さらに、残りの所定のブロックのうち所定のブロックを進退ロッドに対して所定の位置に配設した状態で加圧することにより、ブロックの加圧を複数回に分けて行うことにより、さらに確実にブロックとブロック、進退ロッドと振動吸収体、およびシリンダと振動吸収体の境界部に隙間が形成されることを防止して、信頼性の高いエネルギー吸収装置を効率よく製造することができる。
【００２５】
また、請求項５のエネルギー吸収装置の製造方法のように、ブロックの加圧を複数回に分けて行う場合において、複数の加圧工程のうちの少なくとも１つの加圧工程においては加圧圧力を他の加圧工程における加圧圧力とは異ならせることにより、さらに確実に、ブロックとブロック、進退ロッドと振動吸収体、およびシリンダと振動吸収体の境界部に隙間が形成されることを防止して、信頼性の高いエネルギー吸収装置を効率よく製造することができる。
【００２６】
また、請求項６のエネルギー吸収装置の製造方法のように、シリンダに密封治具を配設することにより、振動吸収体が加圧され、ブロックとブロック、進退ロッドと振動吸収体、およびシリンダと振動吸収体の境界部が隙間なく密着した状態（圧密状態）を確実に維持することが可能になり、所望の特性を安定して保持することが可能な信頼性の高いエネルギー吸収装置を効率よく製造することができるようになる。
【００２７】
なお、密封治具のシリンダへの取り付け方法については特に制約はなく、密封治具を直接にシリンダに取り付ける方法、固定治具を用いてシリンダに固定する方法、当接部材などを介して固定治具によりシリンダに固定する方法など種々の方法を用いることが可能である。なお、その場合の当接部材、固定治具などは本願発明における広義の密封治具に含まれるものである。
【００２８】
また、請求項７のエネルギー吸収装置の製造方法のように、周囲に振動吸収体が配設された進退ロッドをシリンダに収容配置し、密封治具を介して加圧を行った後、加圧状態が維持された状態のまま密封治具をシリンダに固定することにより、振動吸収体の加圧とシリンダの密封を一連の工程で同時に効率よく行うことが可能になり、製造工程を簡略化してコストの低減を図ることが可能になる。
【００２９】
また、請求項８のエネルギー吸収装置の製造方法のように、シリンダの内面、進退ロッド、およびブロックの表面の少なくとも１つに、滑り性を向上させるための滑り性改善剤の付与または滑り性改善物質のコーティングを施しておくことにより、振動吸収体をさらに効率よく形成することが可能になり、本願発明をさらに実効あらしめることが可能になる。
【００３０】
また、本願発明（請求項９）のエネルギー吸収装置は、振動吸収体が複数のブロックから形成されているので、複数のブロックを進退ロッドに対して所定の位置に配設することにより、容易に振動吸収体を形成することができる。したがって、複雑な製造工程を必要とすることなく、効率よく製造することが可能で、コストの低減を図ることが可能になる。
【００３１】
また、請求項１０のエネルギー吸収装置のように、振動吸収体が加圧されており、ブロックとブロック、進退ロッドと振動吸収体、およびシリンダと振動吸収体の境界部が隙間なく密着しているので、振動吸収体が複数のブロックから形成されていても、振動エネルギーの吸収能力を十分に確保することが可能になり、本願発明を実効あらしめることが可能になる。
【００３２】
また、請求項１１のエネルギー吸収装置のようにシリンダを密封治具により密封するようにした場合、振動吸収体が加圧され、隙間が除去された圧密状態を確実に維持することが可能になり、所望の特性を安定して保持することが可能な信頼性の高いエネルギー吸収装置を提供することが可能になる。
【００３３】
また、請求項１２のエネルギー吸収装置のように、シリンダの内面、進退ロッド、およびブロックの表面の少なくとも１つに、滑り性を向上させるための滑り性改善剤の付与または滑り性改善物質のコーティングが施された構成とした場合、振動吸収体を構成する各ブロックを組み合わせて所定の位置関係となるように容易かつ確実に配置することが可能になり、ブロック間や、ブロックとシリンダ、ブロックと進退ロッドの間に隙間のない信頼性の高い振動吸収体を形成することが可能になる。したがって、信頼性の高いエネルギー吸収装置を提供することが可能になる。
【発明を実施するための最良の形態】
【００３４】
以下、本願発明の実施例を示して、その特徴とするところを詳しく説明する。
【実施例１】
【００３５】
図１は本願発明の一実施例にかかるエネルギー吸収装置を示す図であり、(ａ)は正面断面図、(ｂ)は(ａ)のｂ−ｂ線断面図である。
このエネルギー吸収装置は、図１(ａ)，(ｂ)に示すように、筒状のシリンダ１と、シリンダ１内に、同心状かつ軸方向に相対移動可能に設けられた、外周面に抵抗突起（この実施例１で他の部分よりも直径の大きい大径部）４を備えた進退ロッド２と、進退ロッド２の周囲に配設された、塑性変形可能な金属（この実施例１では軟鉛）よりなる振動吸収体３と、シリンダ１内を密封する硬鉛からなる密封治具５ａ，５ｂと、密封治具５ａ，５ｂと当接する軸受（当接部材）６ａ，６ｂと、軸受６ａ，６ｂを介して密封治具５ａ，５ｂを進退ロッド２の軸方向内側に押圧した状態で、シリンダ１に螺合、固定される固定治具７ａ，７ｂとを具備している。
【００３６】
また、シリンダ１の一端側にはフランジ部１ａが設けられ、進退ロッド２の一方の端部にはフランジ部２ａが設けられており、このフランジ部１ａおよびフランジ部２ａがエネルギー吸収装置の取付治具として機能するように構成されている。
【００３７】
そして、この実施例１のエネルギー吸収装置においては、振動吸収体３が図２(ａ)，(ｂ)に示すように、振動吸収体３を軸方向に沿って半割れに分割した形状を有する２個のブロック３ａ，３ｂから形成されており、各ブロック３ａ，３ｂは、進退ロッド２の抵抗突起４と嵌合する嵌合凹部８を備えている。
すなわち、この実施例１のエネルギー吸収装置においては、図２(ａ)，(ｂ)に示すように、進退ロッド２の抵抗突起４と嵌合する嵌合凹部８を備えた２個の半割れ形状のブロック３ａ，３ｂを、進退ロッド２の抵抗突起４が嵌合凹部８にはまり込むような態様で、進退ロッド２の周囲に配設することにより、振動吸収体３が形成されている。
【００３８】
そして、周囲に振動吸収体３が配設された進退ロッド２がシリンダ１の内部に収容配置された状態で振動吸収体３が加圧され、ブロック３ａ，３ｂ、進退ロッド２と振動吸収体３、およびシリンダ１と振動吸収体３の間の境界部の隙間が除去されて各部材の境界部が密着した状態で、固定治具７ａ，７ｂにより、軸受６ａ，６ｂを介して密封治具５ａ，５ｂがシリンダ１に固定されることにより、振動吸収体３を構成するブロック３ａ，３ｂ、進退ロッド２と振動吸収体３、およびシリンダ１と振動吸収体３の境界部が密着した状態に保持されている。
【００３９】
次に、このこのエネルギー吸収装置の製造方法について説明する。
(１)図２(ａ)に示すように、まず、予め作製しておいた、嵌合凹部８を備えた２個の半割れ形状のブロック（軟鉛からなるブロック）３ａ，３ｂを、図２(ｂ)に示すように、進退ロッド２の抵抗突起４が嵌合凹部８にはまり込むような態様で、進退ロッド２に嵌合させることにより、進退ロッド２の周囲に振動吸収体３を形成する。
【００４０】
(２)それから、この周囲に振動吸収体３が配設された進退ロッド２の、抵抗突起４を含む主要部をシリンダ１に挿入する。
【００４１】
(３)そして、シリンダ１の両端側から、硬鉛からなる密封治具５ａ，５ｂを挿入して振動吸収体３の両端側に配設するとともに、さらにその外側に鋼製の軸受６ａ，６ｂを配設する。
【００４２】
(４)それから、単管の外周面にネジ溝１７（図３(ａ)，(ｂ)）を形成した固定治具７ａ，７ｂを、シリンダ１の内周面に形成されたネジ溝１８（図３(ａ)，(ｂ)）に螺合させ、固定治具７ａ，７ｂを所定の治具（図示せず）を用いてシリンダ１にねじ込むことにより、軸受６ａ，６ｂ、密封治具５ａ，５ｂを介して、振動吸収体３を進退ロッド２の軸方向に加圧し、ブロック３ａ，３ｂ、進退ロッド２と振動吸収体３、およびシリンダ１と振動吸収体３の境界部の隙間を除去して、それぞれの境界部を密着させる。
なお、通常、１．０〜０．１ＭＰａ程度の圧力で加圧することにより、ブロック３ａ，３ｂ、進退ロッド２と振動吸収体３、およびシリンダ１と振動吸収体３の境界部の隙間を除去して、それぞれの境界部を密着させることが可能になる。
これにより、図１(ａ)に示すような構造を有する本願発明のエネルギー吸収装置が得られる。
【００４３】
この実施例１のエネルギー吸収装置においては、上述のように、２つのブロック３ａ，３ｂを組み合わせて振動吸収体３を形成するようにしているので、ブロック３ａ，３ｂを、進退ロッド２の抵抗突起４が嵌合凹部８にはまり込むような態様で、進退ロッド２の外周面に嵌合させるだけで、容易に振動吸収体３を形成することができるため、複雑な製造工程を必要とすることなく、図１に示すような構造を有するエネルギー吸収装置を効率よく製造することができる。
【００４４】
また、周囲に振動吸収体３を形成した進退ロッド２をシリンダ１内に収容配置し、シリンダ１の両端側から、密封治具５ａ，５ｂ、軸受６ａ，６ｂを挿入して振動吸収体３の両端側に配設した後、固定治具７ａ，７ｂをシリンダ１に螺合させてねじ込むことにより振動吸収体３を加圧し、ブロック３ａ，３ｂ、進退ロッド２と振動吸収体３、およびシリンダ１と振動吸収体３の境界部を密着させるようにしているので、一体形成されている場合と同様の、十分なエネルギー吸収性能を備えた振動吸収体３を形成して、信頼性の高いエネルギー吸収装置を効率よく製造することができる。
【００４５】
なお、上記実施例１では、硬鉛からなる密封治具５ａ，５ｂとともに、鋼製の軸受６ａ，６ｂを用いているが、鋼製の軸受６ａ，６ｂを密封治具としても機能させるようにして、硬鉛からなる密封治具５ａ，５ｂを省略するような構成とすることも可能である。また、場合によっては、鋼製の軸受６ａ，６ｂを使用せずに、硬鉛からなる密封治具５ａ，５ｂのみを用いてシリンダ１の密封を行うような構成とすることも可能である。
【００４６】
［変形例１］
図４(ａ)，(ｂ)は本願発明の実施例１にかかるエネルギー吸収装置の変形例（変形例１）を示す図である。
この変形例１のエネルギー吸収装置においては、振動吸収体３を、進退ロッド２の軸方向に直交する方向に分割した形状を有する２つのブロック１３ａ，１３ｂを用意し、このブロック１３ａ，１３ｂを進退ロッド２に組み合わせることにより振動吸収体３を形成するようにしている。
なお、図４において、図１および２と同一符号を付した部分は同一または相当する部分を示す。
この変形例１の場合にも、上記実施例１の場合と同様の効果を得ることができる。
【００４７】
［変形例２］
図５は本願発明の実施例１にかかるエネルギー吸収装置の他の変形例（変形例２）を示す図である。
この変形例２のエネルギー吸収装置においては、振動吸収体３を、進退ロッド２の軸方向に沿って２分割し、さらに、進退ロッド２の軸方向に直交する方向にも分割した形状を有する４つのブロック２３ａ，２３ｂ，２３ｃ，２３ｄを用意し、このブロック２３ａ，２３ｂ，２３ｃ，２３ｄを進退ロッド２に組み合わせることにより振動吸収体３を形成するようにしている。
なお、図５において、図１および２と同一符号を付した部分は同一または相当する部分を示す。
この変形例２の場合にも、上記実施例１の場合と同様の効果を得ることができるとともに、さらに振動吸収体の構成の自由度を向上させることが可能になり、進退ロッドの抵抗突起の形状がさらに複雑な形状である場合にも対応することができるようになる。
【００４８】
［変形例３］
図６は本願発明の実施例１にかかるエネルギー吸収装置のさらに他の変形例（変形例３）を示す図である。
この変形例３のエネルギー吸収装置においては、振動吸収体３を、進退ロッド２の軸方向に直交する方向に４つに分割した形状を有する、４つのブロック３３ａ，３３ｂ，３３ｃ，３３ｄを用意し、このブロック３３ａ，３３ｂ，３３ｃ，３３ｄを進退ロッド２に組み合わせることにより、振動吸収体３を形成するようにしている。
なお、図６において、図１および２と同一符号を付した部分は同一または相当する部分を示す。
この変形例３の場合にも、上記実施例１の場合と同様の効果を得ることができるとともに、さらに振動吸収体の構成の自由度を向上させることが可能になる。
【００４９】
［変形例４］
図７は本願発明の実施例１にかかるエネルギー吸収装置のさらに他の変形例（変形例４）を示す図である。
この変形例４のエネルギー吸収装置においては、振動吸収体３を、進退ロッド２の軸方向に直交する方向に３つに分割するとともに、進退ロッド２の抵抗突起４がはまり込む嵌合凹部８を含む部分を進退ロッド２の軸方向に沿って２つに分割した形状を有する、合計４つのブロック４３ａ，４３ｂ，４３ｃ，４３ｄを用意し、このブロック４３ａ，４３ｂ，４３ｃ，４３ｄを進退ロッド２に組み合わせることにより振動吸収体３を形成するようにしている。
なお、図７において、図１および２と同一符号を付した部分は同一または相当する部分を示す。
この変形例４の場合にも、上記実施例１の場合と同様の効果を得ることができるとともに、さらに振動吸収体の構成の自由度を向上させることが可能になる。
【００５０】
なお、上記実施例１および変形例１〜４では、他の部分より直径を大きくした大径部を進退ロッド２の抵抗突起４として形成しているが、抵抗突起４の形状は他の部分より直径を大きくした形状に限られるものではなく、図８(ａ)のような楕円形、図８(ｂ)のような長円形、図８(ｃ)のような瓢箪形、図８(ｄ)のような菱形もしくは四角形、図８(ｅ)のような六角形、図８(ｆ)のような五角形、図８(ｇ)のような七角形、図８(ｈ)のような矢羽根形、図８(ｉ)のような円形などの平面形状を有する柱状突起を進退ロッド２の表面に形成して抵抗突起４とすることも可能である。
【００５１】
また、進退ロッド２に設けられる抵抗突起４は、柱状のものに限られるものではなく、図９(ａ)，(ｂ)に示すように半楕円球形状の柱状突起の表面を角部のない滑らかな曲面形状にしたような構造とすることも可能である。
【００５２】
また、上記実施例１のエネルギー吸収装置の製造方法において、シリンダ１の内面、進退ロッド２、および振動吸収体３を構成するブロック３ａの表面に、滑り性を向上させるための滑り性改善剤（例えば潤滑剤など）を塗布したり、ポリテトラフルオロエチレンのようなフッ素樹脂などの潤り性を向上させる材料のコーティングを施しておくことにより、さらに効率よくエネルギー吸収装置を製造することが可能になる。
【実施例２】
【００５３】
図１０(ａ)，(ｂ)は、本願発明の他の実施例（実施例２）にかかるエネルギー吸収装置の製造方法の一工程を示す図である。なお、図１０(ａ)，(ｂ)において、図１および２と同一符号を付した部分は同一または相当する部分を示す。
【００５４】
この実施例２では、図１０(ａ)に示すように、まず、２個の半割れ形状のブロック（軟鉛からなるブロック）３ａ，３ｂを、進退ロッド２の外周面に嵌合させることにより周囲に振動吸収体３を配設した進退ロッド２をシリンダ１に挿入する。
【００５５】
それから、振動吸収体３を密封治具５および押圧するための押圧治具としても機能する鋼製の軸受６をシリンダ１の両端側から挿入して、圧縮機の加圧治具２０により、軸受６および密封治具５を介して振動吸収体３を進退ロッド２の軸方向に例えば、１．０〜０．１ＭＰａの圧力で加圧して、ブロック３ａ，３ｂ、進退ロッド２と振動吸収体３、およびシリンダ１と振動吸収体３の境界部の隙間を除去してそれぞれの境界部を密着させる。
【００５６】
その後、圧縮機の加圧治具２０を移動させ（取り除き）、ブロック３ａおよび３ｂ、進退ロッド２と振動吸収体３、およびシリンダ１と振動吸収体３の境界部が密着した状態で、固定治具７をボルトなどの締結部材９によりシリンダ１に固定する。
【００５７】
上述のように、加圧後に、圧縮機の加圧治具２０を移動させ、固定治具７をシリンダ１に固定するようにした場合にも、ブロック３ａ，３ｂ、進退ロッド２と振動吸収体３、およびシリンダ１と振動吸収体３の境界部が密着した、十分なエネルギー吸収性能を備えた振動吸収体３を形成して、信頼性の高いエネルギー吸収装置を効率よく製造することができる。
【実施例３】
【００５８】
図１１(ａ)，(ｂ)，(ｃ)は、本願発明のさらに他の実施例（実施例３）にかかるエネルギー吸収装置の製造方法の一工程を示す図である。なお、図１１(ａ)，(ｂ)，(ｃ)において、図１および２と同一符号を付した部分は同一または相当する部分を示す。
【００５９】
この実施例３では、図１１(ａ)に示すように、まず、２個の半割れ形状のブロック（軟鉛からなるブロック）３ａ，３ｂを、進退ロッド２の外周面に嵌合させることにより周囲に振動吸収体３を配設した進退ロッド２をシリンダ１に挿入する。
【００６０】
それから、図１１(ｂ)に示すように、振動吸収体３を密封治具５および押圧するための押圧治具としても機能する鋼製の軸受６をシリンダ１の両端側から挿入するとともに、単管状で内径が圧縮機の加圧治具２０の外径よりも大きく、一方の端部がフランジ部１０となっている固定治具７をシリンダ１の両端部に配設し、圧縮機の加圧治具２０により、軸受６および密封治具５を介して振動吸収体３を進退ロッド２の軸方向に例えば、１．０〜０．１ＭＰａの圧力で加圧して、ブロック３ａおよび３ｂ、進退ロッド２と振動吸収体３、およびシリンダ１と振動吸収体３の境界部を密着させる。
【００６１】
その後、ブロック３ａおよび３ｂ、進退ロッド２と振動吸収体３、およびシリンダ１と振動吸収体３の境界部が密着した状態（加圧状態）のまま、固定治具７を移動させてフランジ部１０をシリンダ１の端部に当接させ、ボルトなどの締結部材９によりシリンダ１に固定する。
【００６２】
この実施例３の方法では、上述のように、加圧されて、ブロック３ａおよび３ｂ、進退ロッド２と振動吸収体３、およびシリンダ１と振動吸収体３の境界部が密着した状態のまま、固定治具７をシリンダ１に固定するようにしているので、各部材の境界部が確実に密着した、十分なエネルギー吸収性能を備えた振動吸収体を確実に形成することが可能になり、信頼性の高いエネルギー吸収装置を効率よく製造することができる。
【００６３】
なお、本願発明は、上記の各実施例に限定されるものではなく、振動吸収体を構成するブロックの具体的な形状、ブロックの数、ブロックの構成材料、筒状のシリンダの具体的な形状や寸法、構成材料、進退ロッドの形状や構成材料、進退ロッドに配設される抵抗突起の具体的な形状、密封治具の構成材料や形状、密封治具をシリンダに固定する際の固定方法などに関し、発明の範囲内において、種々の応用、変形を加えることが可能である。
また、ブロックの加圧方法に関しても、振動吸収体の主要部を構成するブロックのすべてを配設した後、一度に加圧するようにしてもよく、また、例えば、振動吸収体の主要部を構成するブロックを周囲に配設した進退ロッドをシリンダ内に収容配置し、加圧して各部材の境界部を密着させた後、さらに振動吸収体を構成する他のブロックを挿入して加圧するなどして、加圧工程を複数回に分けて行うように構成することも可能である。
【産業上の利用可能性】
【００６４】
上述のように、本願発明のエネルギー吸収装置においては、複数のブロックを組み合わせて振動吸収体を形成するようにしているので、進退ロッドに対して所定の位置に複数のブロックを配設することにより、容易に振動吸収体を形成することが可能になり、複雑な製造工程を必要とすることなく、エネルギー吸収装置を効率よく製造することが可能になる。また、周囲に振動吸収体が配設された進退ロッドをシリンダ内に収容配置し、振動吸収体を加圧することにより、ブロックとブロック、進退ロッドと振動吸収体、およびシリンダと振動吸収体との間に形成される隙間を容易かつ確実に除去して、十分なエネルギー吸収性能を備えた振動吸収体を形成することが可能になり、信頼性の高いエネルギー吸収装置を効率よく製造することができる。
したがって、本願発明は、進退ロッドの抵抗突起が振動発生時に振動吸収体内を相対移動することにより振動吸収体が塑性変形して振動エネルギーを吸収するように構成されたエネルギー吸収装置に広く適用することが可能である。
【図面の簡単な説明】
【００６５】
【図１】本願発明の一実施例（実施例１）にかかるエネルギー吸収装置を示す図であり、(ａ)は正面断面図、(ｂ)は(ａ)のｂ−ｂ線断面図である。
【図２】(ａ)，(ｂ)は本願発明の実施例１にかかるエネルギー吸収装置の要部構成を示す図であり、(ａ)は振動吸収体を構成するブロックを進退ロッドに嵌合させる前の状態を示す図、(ｂ)は嵌合させた後の状態を示す図である。
【図３】(ａ)，(ｂ)は本願発明の実施例１にかかるエネルギー吸収装置の製造方法を説明するための図である。
【図４】(ａ)，(ｂ)は本願発明の実施例１にかかるエネルギー吸収装置の他の変形例を示す図であり、(ａ)は振動吸収体を構成するブロックを進退ロッドに嵌合させる前の状態を示す図、(ｂ)は嵌合させた後の状態を示す図である。
【図５】本願発明の実施例１にかかるエネルギー吸収装置のさらに他の変形例を示す図である。
【図６】本願発明の実施例１にかかるエネルギー吸収装置のさらに他の変形例を示す図である。
【図７】本願発明の実施例１にかかるエネルギー吸収装置のさらに他の変形例を示す図である。
【図８】(ａ)〜(ｉ)は本願発明の実施例１にかかるエネルギー吸収装置において用いられる進退ロッドに配設される抵抗突起の形状の変形例を示す図である。
【図９】(ａ)，(ｂ)は本願発明の実施例１にかかるエネルギー吸収装置において用いられる進退ロッドに配設される抵抗突起の他の変形例を示す図であり、(ａ)は側面断面図、(ｂ)は正面図である。
【図１０】(ａ)，(ｂ)は本願発明の他の実施例（実施例２）にかかるエネルギー吸収装置の製造方法を示す図である。
【図１１】(ａ)，(ｂ)，(ｃ)は本願発明のさらに他の実施例（実施例３）にかかるエネルギー吸収装置の製造方法を示す図である。
【符号の説明】
【００６６】
１      シリンダ
１ａ    フランジ部
２      進退ロッド
２ａ    フランジ部
３      振動吸収体
３ａ，３ｂ        振動吸収体を構成するブロック
４      抵抗突起
５，５ａ，５ｂ    密封治具
６，６ａ，６ｂ    軸受（当接部材）
７，７ａ，７ｂ    固定治具
８                嵌合凹部
９      締結部材
１０    固定治具のフランジ部
１３ａ，１３ｂ    ブロック
１７    固定治具の外周面に形成されたネジ溝
１８    シリンダの内周面に形成されたネジ溝
２０    圧縮機の加圧治具
２３ａ，２３ｂ，２３ｃ，２３ｄ    ブロック
３３ａ，３３ｂ，３３ｃ，３３ｄ    ブロック
４３ａ，４３ｂ，４３ｃ，４３ｄ    ブロック
【図１】
2005233352.tif 000003
【図２】
2005233352.tif 000004
【図３】
2005233352.tif 000005
【図４】
2005233352.tif 000006
【図５】
2005233352.tif 000007
【図６】
2005233352.tif 000008
【図７】
2005233352.tif 000009
【図８】
2005233352.tif 000010
【図９】
2005233352.tif 000011
【図１０】
2005233352.tif 000012
【図１１】
2005233352.tif 000013